(57)【要約】      （修正有）【課題】物質移動カラムの低負荷運転時においても物質移動カラムの充填ステージ表面に液体を均等に分配することが可能なディストリビュータを提供する。【解決手段】少なくとも１つの液体供給部と、液体供給部と連通して液体の出口ポイント８を有する複数の液体経路４と、複数の液体分配ポイント１９と、液体供給部と液体分配ポイントとの間に配置された滞留時間遅延装置を備えた低負荷ディストリビュータであって、滞留時間遅延装置は液体吸収性の多孔質物質１０，１１を含むものであり、多孔質物質内の液体流動抵抗が、液体供給部から液体分配ポイントに向かって増加する、低負荷ディストリビュータ。【選択図】図２
2014039923.tif 000002
【特許請求の範囲】
【請求項１】
少なくとも１つの液体供給部（２）を備え、物質移動カラムの充填ステージの表面に液体を供給するための物質移動カラム用低負荷ディストリビュータ（１）であって、前記液体供給部（２）が連通し、前記液体の出口ポイント（８）を含む複数の経路（４）と、複数の液体分配ポイント（１９）と、前記液体供給部（２）と前記液体分配ポイント（１９）との間に配置された滞留時間遅延装置とを備えた低負荷ディストリビュータ（１）において、
前記滞留時間遅延装置は吸収性多孔質収容物質（１０,１１）を含み、前記収容物質（１０,１１）の流動抵抗が、前記液体の流れる方向、すなわち前記液体供給部（２）から前記液体分配ポイント（１９）へと向かう方向に増加することを特徴とする低負荷ディストリビュータ。
【請求項２】
前記収容物質（１０,１１）の細孔径が、液体の流れる方向に減少していることを特徴とする請求項１に記載の低負荷ディストリビュータ。
【請求項３】
前記収容物質は、少なくとも２層からなり、前記液体供給部（２）から離れて配置された第２の層（１１）は、前記液体供給部（２）の近くに配置された第１の層（１０）よりも密度が高いことを特徴とする請求項１または請求項２に記載の低負荷ディストリビュータ。
【請求項４】
相互に間隔を空けた液体通路（１５）を有する第１の堰（１４）が、前記収容物質の第１の層（１０）と前記収容物質の第２の層（１１）との間に配置されていることを特徴とする請求項３に記載の低負荷ディストリビュータ。
【請求項５】
相互に間隔を空けた液滴通過ポイント（１７）を有する第２の堰（１６）が、前記収容物質（１０,１１）よりも液体の流れ方向の下流側に配置されていることを特徴とする請求項１から請求項４のいずれか１項に記載の低負荷ディストリビュータ。
【請求項６】
前記液体の出口ポイント（８）が、前記経路の底部（９）から間隔を空けて前記経路（４）の側壁（７）に設けられていることを特徴とする請求項１から請求項５のいずれか１項に記載の低負荷ディストリビュータ。
【請求項７】
前記収容物質（１０,１１）は、前記出口ポイント（８）よりも流れ方向の下流側に配置されていることを特徴とする請求項１から請求項６のいずれか１項に記載の低負荷ディストリビュータ。
【請求項８】
ガイドプレート（２２）が、前記出口ポイント（８）から間隔を空けて前記経路（４）に取り付けられ、前記収容物質（１０,１１）が、前記各側壁（７）とこれに対応する前記ガイドプレート（２２）との間に配置されていることを特徴とする請求項１から請求項７のいずれか１項に記載の低負荷ディストリビュータ。
【請求項９】
前記ガイドプレート（２２）は、前記経路側とは反対側の端部に、ギザギザ（１８）が設けられていることを特徴とする請求項８に記載の低負荷ディストリビュータ。
【請求項１０】
各ガイドプレート（２２）は湾曲して、対応する前記経路（４）の延長部を形成し、前記第２の堰（１６）は、前記側壁（７）と平行に、前記各経路（４）の延長部として延びて底部領域で前記ガイドプレート（２２）と接続され、当該底部領域において、前記第２の堰（１６）は、前記ガイドプレート（２２）と前記第２の堰（１６）との接合部で前記液滴通過ポイント（７）を形成する半孔を構成することを特徴とする請求項８または請求項９に記載の低負荷ディストリビュータ。
【請求項１１】
前記ガイドプレート（２２）は、前記半孔（１７）から前記液体分配ポイント（１９）まで延びて、液体を案内する溝（２０）を含むことを特徴とする請求項１０に記載の低負荷ディストリビュータ。
【請求項１２】
前記各ガイドプレート（２２）は、その上端に緊急溢流孔（２１）が設けられていることを特徴とする請求項８から請求項１１のいずれか１項に記載の低負荷ディストリビュータ。
【請求項１３】
上部液滴センタリングプレート（２）が、前記収容物質（１０,１１）よりも流れ方向の上流側に配置されていることを特徴とする請求項１から請求項１２のいずれか１項に記載の低負荷ディストリビュータ。
【請求項１４】
前記各経路（４）は、個別に高さ調整が可能であることを特徴とする請求項１から請求項１３のいずれか１項に記載の低負荷ディストリビュータ。
【発明の詳細な説明】
【技術分野】
【０００１】
本発明は、少なくとも１つの液体供給部を備え、物質移動カラムの充填ステージの表面に液体を供給するための物質移動カラム用低負荷ディストリビュータであって、液体供給部が連通し、液体の出口ポイントを含む複数の経路と、複数の液体分配ポイントと、液体供給部と液体分配ポイントとの間に配置された滞留時間遅延装置とを備えた低負荷ディストリビュータに関するものである。
【背景技術】
【０００２】
物質移動カラム内の不規則充填物および規則充填物には、適切な液体分配装置により液体を供給する必要がある。この場合、物質移動カラムの達成可能な分離能力は、液体分配の優劣に左右される。位相間での集中的な物質移動を確実に行うため、作動範囲の全体にわたって、液体の流れがカラムの断面領域に均等に分配される。液体は、そこで各ドリップポイントへと分配される。ドリップポイントは、カラムの断面領域にわたって均等に配置されることが必要である。各ドリップポイントからは等量の液体が分配される。特に、カラムの断面領域に基づく液体流量が約０．０５〜１ｍ３／（ｍ２ｈ）である低負荷運転時は、均一に分配することは困難である。
【０００３】
低負荷運転用の液体ディストリビュータは、ドイツ特許ＤＥ３３４６８５７Ｃ２により既に公知である。液体ディストリビュータは、供給ラインと接続され、複数の分配装置に通じる前分配装置を含み、各分配装置は少なくとも１つの液体出口開口部を備えている。液体出口開口部は、分配装置の外側に装着され、液体により湿潤可能な内部凝集性細孔構造を有する吸収性多孔質材料から形成された本体と連通する。本体は、液体出口開口部を出た全液体が物質移動カラムに分配される前に本体の内部細孔構造を通過するように、分配装置に装着される。
【０００４】
別の微細分配器が、欧州特許ＥＰ１４５９７９３Ｂ1により公知である。微細分配器は、下方に配置された複数の微細分配要素に液体を供給する主要流路を含む。各微細分配要素は流路を含み、その流路の壁には液体の出口開口部を有する。各分配経路は、流路の下方に配置され、流路と実質的に平行に延びている。出口開口部から延出する液体案内用の面状ガイド装置が、流路から対応する分配経路まで延びている。分配経路は、下方に向けてテーパーする空隙を形成する２枚の金属板の縁部によって形成されている。面状ガイド装置はこの領域を通って延び、分配経路の下方で液体のドリップポイントを形成する。
【０００５】
物質及び／または熱伝達用カラム内に液体を供給および分配するさらに別の液体ディストリビュータが、米国特許出願公開ＵＳ２００５／０１８９６６３Ａ１、米国特許ＵＳ４，８１６，１９１および米国特許ＵＳ１，１１３，６４３に開示されている。
【０００６】
所謂フラッディング充填も公知である。これらの例は、国際公開パンフレットＷＯ２０１１／０１５３５２Ａ１、ドイツ特許出願公開ＤＥ１００１０８１０Ａ１、ドイツ特許出願公開ＤＥ１０３４３６４９Ａ１、ドイツ特許出願公開ＤＥ１０３４３６５０Ａ１、ドイツ特許出願公開ＤＥ１０２００４０５６４１９Ａ１に記載されている。これらのフラッディング充填は、カラム内に配置される規則充填の一部であり、液体に対する流れ抵抗が高いので液体が滞留する。これらのフラッディング充填物は、カラムを通して液体に対向して流れる気体の流れがある場合にのみ作用する。このようなフラッディング充填物は、液体をカラム内に導入する主たる液体ディストリビュータを代替するものではない。
【０００７】
公知の実行可能な手段はあるものの、低負荷運転時に液体を均等に分配することは依然として困難である。また、低負荷ディストリビュータでは、所定数のドリップポイントに対して、液体が出る孔またはスロットの寸法を非常に小さくすることが困難である。したがって、製造が非常に困難となり、動作信頼性が大きく低下する。
【発明の概要】
【発明が解決しようとする課題】
【０００８】
したがって、本発明の目的は、物質移動カラムのカラム断面領域にわたって液体を均等に分配できる低負荷ディストリビュータにおいて、製造が容易で動作信頼性に優れたさらなる改良を提供することである。
【課題を解決するための手段】
【０００９】
このため、本発明によると、滞留時間遅延装置が吸収性多孔質収容物質を含み、当該収容物質の流動抵抗が、液体の流れる方向、すなわち液体供給部から液体分配ポイントへと向かう方向に増加する。
【００１０】
収容物質の流動抵抗が増加することにより、液体が低負荷ディストリビュータ内に滞留し、速やかに液体分配ポイント内を流れることができなくなる。これにより、カラムの断面領域にわたって供給された液体の優れた側方分布が得られ、所望通りに液体を充填ステージの全面に均等に供給することができる。滞留時間遅延装置に入る前に、経路によって主たる側方液体分布が得られる。
【００１１】
有益には、収容物質の細孔径を液体の流れる方向に減少させる構成とすることもできる。多孔質収容物質は、液体により湿潤可能であり吸収性がある。収容物質は、開放内部細孔構造、すなわち液体が収容物質内を流れることができるように細孔どうしが接続された構造を備えている。これにより、液体分配ポイントから出る実質的にすべての液体は、液体分配ポイントから出る前に、内部細孔構造を通過していることになる。多孔質収容物質は、大きな細孔が液体供給部の領域に配置され、液体がより迅速に排水されるように形成される。細孔径は液体分配ポイントの方向に向かって減少する。液体は滞留する。したがって、液体供給部の領域においては、液体が迅速に両側に排水され、液体分配ポイント付近の領域においては、毛管効果によって優れた側方分布が実現される。これにより、カラムの断面領域全体にわたって非常に均一な液体分布となる。
【００１２】
さらに、収容物質は少なくとも２層からなり、液体供給部から離れて配置された第２の層は、液体供給部の近くに配置された第１の層よりも密度が高い構成とすることもできる。したがって、２つの層は、流れ方向に対して実質的に横方向に延びている。各層は均一に形成され、実質的に一定の細孔径を有する。２つの層により、液体の流れ方向で非常に簡単に細孔径を変化させることができる。
【００１３】
本発明のさらに別の実施形態によると、相互に間隔を空けた液体通路を有する第１の堰が、収容物質の第１の層と収容物質の第２の層との間に配置されている構成とすることもできる。非常に簡単な構成では、多孔板を堰として使用することができる。この堰により、収容物質の第１の層と収容物質の第２の層との間で、強制的に第１の側方分布が作られる。
【００１４】
また、相互に間隔を空けた液滴通過ポイントを有する第２の堰が、収容物質よりも液体の流れ方向の下流側に配置されている構成とすることもできる。これにより、最終的に物質移動カラムの充填ステージに滴下する前に、さらなる液体の側方分布が得られる。
【００１５】
有益には、液体の出口ポイントが、経路の底部から間隔を空けて経路の側壁に設けられている構成とすることもできる。したがって、各経路では所定の液体レベルが強制的に維持され、点状に供給される液体は、経路の全断面にわたって分配される。出口ポイントが高くなると、経路での液体の滞留時間が長くなり、流速が低くなる。液体に含まれることがある固体等の不純物は沈殿し、物質移動カラム内へ流入することはない。
【００１６】
収容物質は、有益には出口ポイントよりも流れ方向の下流側に配置する構成とすることもできる。これにより、収容物質は、経路の側壁の外側に簡単に取り付けることができる。既に説明したように、収容物質内を流れる液体はすでに浄化され、ごく僅かの固体しか含まないので、収容物質が詰まるリスクは著しく低減される。
【００１７】
さらに別の実施形態によると、ガイドプレートが、出口ポイントに隣接して経路に配置され、収容物質が、経路の側壁と各ガイドプレートとの間に配置されている構成とすることもできる。このようなガイドプレートにより、液体がさらに所望の方向に案内される。その上、収容物質の簡単な取り付けも可能となる。
【００１８】
有益には、ガイドプレートは、経路側とは反対側の端部にギザギザが設けられている構成とすることができる。これらのギザギザは、液体のドリップポイントを形成する。これらのドリップポイントが他の形状、例えば、丸みを帯びた形状を有していてもよい。
【００１９】
さらに別の実施形態によると、各ガイドプレートは湾曲して、対応する経路の延長部を形成し、第２の堰は、側壁と平行に、各経路の延長部として延びて底部領域でガイドプレートと接続され、当該底部領域において、第２の堰は、ガイドプレートと第２の堰との接合部で液滴通過ポイントを形成する半孔を構成することも可能である。これらの半孔により、液体通路を低くすることができ、比較的簡単に液体通過ポイントを形成することが可能となる。半孔の数と配置は、すでに液体分配ポイント、すなわちドリップポイントの最終的な配列に対応している。
【００２０】
所望の液体分配ポイントへの液体の良好な誘導は、半孔から液体分配ポイントまで延びて液体を案内する溝をガイドプレートが含むことで達成することができる。
【００２１】
さらに別の実施形態では、各ガイドプレートが、その上端に緊急溢流孔が設けられている構成とすることができる。これにより、ディストリビュータが溢れた場合にも、経路の長さ全体、したがってカラムの断面領域の全域にわたって均等な分布が実現される。
【００２２】
さらに、上部液滴センタリングプレートを収容物質よりも流れ方向の上流側に配置した構成とすることもできる。この液滴センタリングプレートにより、液体が収容物質内に入る前に側方分布が得られる。
【００２３】
さらに別の実施形態では、各経路は、個別に高さ調整が可能な構成とすることができる。各経路のこの高さ調整機能によって、各経路を水平方向に正確に位置合わせすることができる。したがって、各経路どうしで液面の高さの相違がなくなり、非常に均等に液体を分配することが可能となる。そして、液体分配の品質悪化が避けられる。
【００２４】
図面を用いて、本発明をより詳細に説明する。
【図面の簡単な説明】
【００２５】
【図１】液体ディストリビュータの略図である。
【図２】本発明による低負荷ディストリビュータの経路の側断面図である。
【図３】III−III線に沿った図２の経路の断面図である。
【発明を実施するための形態】
【００２６】
図１は、低負荷ディストリビュータ１の略図である。低負荷ディストリビュータ１は、低負荷運転で作動する物質移動カラムの充填ステージの表面に液体を均等に供給するために使用される。現在、低負荷運転は、カラムの断面積に対する液体流量が約０．０５〜１ｍ３／（ｍ２ｈ）の範囲内にあることと理解されている。液体は、低負荷ディストリビュータによって液体分配ポイント（ドリップポイント）に分配される。ドリップポイントの数（ドリップポイント密度）は、工学プロセスにおいて事前に決定される。ドリップポイント密度として、１ｍ２あたり６０〜１５０個が一般的である。物質移動カラム内では、液体を気体流と接触させて物質移動が行われる。この場合、気体と液体を接触させる面をできるだけ大きくする。このため、不規則充填物や規則充填物等の充填ステージが、カラム内に配置されている。
【００２７】
低負荷ディストリビュータ１は、図示した例では供給パイプのみからなる液体供給部２を含む。液体供給部２は、主要流路３に通じている。経路４は主要流路３の下方に配置され、主要流路３に対して横方向に延びている。主要流路３の側壁には各経路４に対応して孔５が設けられ、これらの孔５を通して、主要流路に供給された液体が経路４に溢出する。図示した例では、孔５がガイド構造６によって覆われており、液体が主要流路３から経路４内に溢出することが可能となる。経路４は、さらに液体分配ポイント１９（図２および図３参照）と連通し、これらの液体分配ポイント１９を通して、液体が充填ステージに分配される。液体供給部２と液体分配ポイント１９との間には滞留時間遅延装置が設けられており、液体の流動抵抗が、液体供給部から液体分配ポイントへと向かう方向に確実に増加することで、低負荷ディストリビュータにおける液体の優れた側方分布が実現される。図１は低負荷ディストリビュータを単なる略図で示したものであり、滞留時間遅延装置は図示されていない。
【００２８】
図２は、図１の経路４を側面から見た拡大断面図である。経路４は、両端面が閉じたＵ字形の流路である。経路４の一方の側壁７には、スロット８が相互に離間して形成されている。スロット８は液体の出口ポイントを形成し、例えば、円形形状等の他の如何なる所望の形状を有してもよい。スロット８の間隔は、ディストリビュータを通した所与の液体流量に対して、スロット幅または径が製造の観点から理にかなうものとなるように決定される。経路４の側壁に形成したスロット８は、経路の底部９よりも上方に配置される。したがって、経路４に入った液体は、最初に所定の液体レベルまで達した後に、スロット８から出ることになる。結果として、経路４内での液体の滞留時間が増加する。したがって、経路内で所定の液体レベルが強制的に維持され、通常では点状に供給される液体が経路の断面全域にわたって分配される。これにより、ディストリビュータ内での液体の滞留時間が非常に長くなり、液体の流速が低くなる。液体に含まれることがある固体は沈殿するので、液体ディストリビュータの後続の構成部品および物質移動カラムが汚染されることを低減することができる。
【００２９】
経路４は、各経路の高さを揃えることができるように形成される。これにより、経路４と、経路８に設けたスロット８を水平方向に正確に位置合わせすることができる。液体供給部２によって供給された液体は経路４内に分配され、スロット８を通って経路４から出る。収容物質１０,１１は、スロット８よりも液体の流れ方向の下流側に配置されている。収容物質１０,１１は、各経路４の長さ全体にわたって延びている。収容物質１０,１１は、供給された液体により湿潤可能な吸収性多孔質収容物質である。収容物質は、内部凝集性細孔構造を備えるとともに吸収性を有しているので、低負荷ディストリビュータを通って流れる実質的にすべての液体は、低負荷ディストリビュータから出る前に、収容物質の内部細孔構造内を流れることになる。吸収性材料、例えば、織布または不織布材料、発泡体、セラミックまたは酸化物セラミック焼結材料が、収容物質として使用することができる。もちろん使用材料は、カラムでの使用条件に対する耐性が必要であり、使用物質や使用温度により分解または溶融する可能性のないものとする。
【００３０】
収容物質１０,１１は、液体の流動抵抗が増加するように設計される。これは、例えば、収容物質の細孔径が液体の流れる方向に減少する構成により達成される。したがって、収容物質は、第１の層１０と第２の層１１を含む。第１の層１０は、第２の層１１よりも液体の流れ方向の上流側、且つスロット８の下流側に配置される。第１の層１０は第２の層１１よりも密度が低い。したがって、液体は、第１の層１０内を流れるときは、第２の層１１内を流れるときよりも素早く側方に広がる。第２の層１１では、密度が高く、そのため細孔径が小さい。このため、毛管効果に起因する側方分布が得られる。液滴センタリングプレート１２が第１の層１０よりも上流側に配置されている。液滴センタリングプレート１２は、相互に間隔を空けた通路１３を含み、当該通路１３を通して、スロット８から出た液体が第１の層１０へ溢出する。
【００３１】
さらに、ガイドプレート２２が各経路４の側壁７に取り付けられている。ガイドプレート２２は、図３で特にわかり易く示されている。また、ガイドプレート２２は、実質的に各経路４の長さ全体にわたって延びている。第１の堰１４が、収容物質１０の第１の層と収容物質の第２の層１１との間に配置されている。この堰１４は、相互に間隔を空けた液体通路１５を含む。この堰１４により、第１の層１０と第２の層１１との間で、液体のさらなる側方分布が可能となる。第２の堰１６が、収容物質の第２の層１１よりも流れ方向の下流側に取り付けられている。第２の堰１６は、経路４の側壁７と平行に延び、経路の底部９およびガイドプレート２２と接続される。下部領域では、第２の堰１６が、相互に間隔を空けた液滴通過ポイント１７を含む。図示した例では、液滴通過ポイント１７が半円形状を有している。ガイドプレート２２はさらに下方に延び、その底部にはギザギザ１８が設けられている。ギザギザ１８の先端は、ディストリビュータを流れる液体の液体分配ポイント１９を形成する。さらに、ガイドプレート２２には、液滴通過ポイント１７から液体分配ポイント１９まで延びる溝２０が設けられている。これらの溝２０により、液体は、第２の堰１６および第２の堰１６に配置された液滴通過ポイント１７から液体分配ポイント１９まで案内される。液体分配ポイント１９の配列は、ディストリビュータ１の下方に配置された充填ステージによって決定される。
【００３２】
図３は、III−III線に沿った図２の経路４の断面図である。経路４が側壁７および経路の底部９を備えたＵ字断面を有することが明瞭に示されている。スロット８は、経路の底部９から間隔を空けて横方向に配置されている。ガイドプレート２２は経路４の側壁７に取り付けられ、側壁７にはスロット８も設けられている。上部領域では、ガイドプレート２２が経路４の側壁７から実質的に垂直且つ外側に延びた後、下方に曲がり、経路４の側壁７と平行に延びている。屈曲領域には緊急溢流孔２１が設けられ、液体が過剰に供給された場合には、この緊急溢流孔を通って液体が排出される。ガイドプレート２２は、経路４の側壁７と平行に延び、経路の底部９を僅かに超えて下方に突出する。そこでガイドプレートは経路４の方向に再度曲がり、平行に延びる部分と傾斜部分とのなす角は鈍角となる。ガイドプレート２２は、そのまま経路の略中心まで延びた後、垂直方向下方に曲がって、且つ経路４の側壁７と略平行に延びる。したがって、ガイドプレート２２は、経路と隣接し、第２の経路の形状を有する箱形部を形成する。収容物質１０,１１は、この箱形部の中に装着される。
【００３３】
液滴センタリングプレート１２は、経路４の側壁７とガイドプレート２２との間で、収容物質の第１の層１０の上方に延びている。液滴センタリングプレート１２は、側壁７に対して実質的に垂直に延び、そのため経路の底部９と平行に延びている。液滴センタリングプレート１２には、相互に間隔を空けた液体通路１３が設けられている。例えば、多孔板を使用することができる。液滴センタリングプレートはスロット８の高さに配されており、スロット８の底縁から上方に間隔を空けている。スロット８から出た液体は、したがって液滴センタリングプレート１２に流れ、そこで側方に分配され、液体通路１３を通って収容物質の第１の層１０に入る。
【００３４】
第１の堰１４は、収容物質の第１の層１０と収容物質の第２の層１１との間に配置されている。また、この第１の堰１４は、相互に間隔を空けた液体通路１５を含むことで、この堰によるさらなる液体の側方分布が得られる。堰１４は、液滴センタリングプレート１２と平行に延びている。この堰１４は、多孔板から簡単に形成することができる。
【００３５】
既に述べたように、収容物質の第２の層１１は、収容物質の第１の層１０よりも密度が大きい。収容物質の第２の層１１の細孔径は、第１の層１０の細孔径よりも小さく、そのため、この第２の層１１を通る液体の流動抵抗は大きくなる。さらに、ディストリビュータ１を流れる液体の側方分布は、毛管効果に起因して、収容物質の第２の層１１内で実現される。収容物質の第２の層１１の層厚は、収容物質の第１の層１０の層厚よりも厚く、収容物質の第１の層１０の層厚の約２〜３倍に相当する。
【００３６】
第２の堰１６は、収容物質の第２の層１1よりも流れ方向の下流側に配されている。第２の堰１６は経路４の下方で側壁７と実質的に平行に延びており、一端が経路４と接続され、他端がガイドプレート２２と接続されている。第２の堰１６には、底部領域、すなわちガイドプレート２２との接続部で、液滴通過ポイント１７が設けられている。液滴通過ポイント１７の数と配置は、液体分配ポイントの最終的な配列に対応している。液滴通過ポイント１７は、好適には半円形である。図２に明示するように、ガイドプレート２２は、その下端がギザギザの形状を有している。ガイドプレート２２の内面には、液滴通過ポイント１７とギザギザ１８の先端をつないで液体を案内する溝２０が形成されている。最終液体分配ポイント１９は、ギザギザ１８の先端により形成される。上述した装置、すなわち経路４、液滴センタリングプレート１２、収容物質の２つの層１０,１１、２つの堰１４,１６、溝２０およびギザギザ１８の相互作用によって、低負荷ディストリビュータにおける液体の遅延時間が延長され、カラムの断面領域にわたって液体が均等に分配される。
【図１】
2014039923.tif 000003
【図２】
2014039923.tif 000004
【図３】
2014039923.tif 000005
【外国語明細書】
2014039923000001.pdf
2014039923000002.pdf
2014039923000003.pdf
2014039923000004.pdf